(57)【要約】【課題】足場用吊り枠の連結作業が行い易く、作業員が安全に足場を施工でき、下方が川又は海あるいは作業車等の届かない場所でも一定の作業方法で容易に足場を施工でき、しかも安価に施工することができる足場用吊り枠を提供する。【解決手段】円筒形状の上下の親パイプ１、２が複数の渡し板材３で一体的に保持され、上下の親パイプ１、２の両端に接続用部材４が一体的に取り付けられ、この接続用部材４は、上側親パイプ１又は下側親パイプ２のいずれかの一方側端部に一体的に取り付けられたパイプ挿入部５と、下側親パイプ２又は上側親パイプ１のいずれかの他端側端部に一体的に取り付けられた短パイプ部６と、これらのパイプ挿入部５と短パイプ部６とを上下向きに一体に保持する保持板部７とから構成され、複数の上下の親パイプ１、２を長手方向に接続する際に、各パイプ挿入部５に各短パイプ部６が挿入され取り付け固定されて接続されるようにした。【選択図】      図２
2004332210.tif 000002
【特許請求の範囲】
【請求項１】
高速道路施工時や架橋施工時等にその高速道路や架橋等の下方に足場用として吊設され、複数の足場用板材を敷き詰めるための足場用吊り枠において、上下の親パイプが長手方向適宜箇所で複数箇所縦向きの渡しパイプ又は渡し板材で一体的に連結されていることを特徴とする足場用吊り枠。
【請求項２】
前記上下の親パイプは、円筒形状のパイプからなり、これらの円筒形状の上下の親パイプが、長手方向適宜箇所で複数箇所縦向きの渡し板材で一体に連結されていることを特徴とする請求項１に記載の足場用吊り枠。
【請求項３】
高速道路施工時や架橋施工時等にその高速道路や架橋等の下方に足場用として吊設され、複数の足場用板材を敷き詰めるための足場用吊り枠において、上下の親パイプが複数の渡しパイプ又は複数の渡し板材で一体的に保持され、上下の親パイプの両端に接続用部材が一体的に取り付けられ、この接続用部材は、上側親パイプ又は下側親パイプのいずれかの一方側端部に一体的に取り付けられたパイプ挿入部と、下側親パイプ又は上側親パイプのいずれかの他端側端部に一体的に取り付けられた短パイプ部と、これらのパイプ挿入部と短パイプ部とを上下向きに一体に保持する保持板部とから構成され、複数の上下の親パイプを長手方向に接続する際に、各パイプ挿入部に各短パイプ部が挿入され取り付け固定されて接続されるようにしたことを特徴とする足場用吊り枠。
【請求項４】
前記上下の親パイプは、円筒形状のパイプからなり、これらの円筒形状の上下の親パイプが、長手方向適宜箇所で複数箇所縦向きの渡し板材で一体に連結されていることを特徴とする請求項３に記載の足場用吊り枠。
【請求項５】
前記パイプ挿入部は、横向きに長めの断面コ字形の筐体状に形成されていることを特徴とする請求項３又は４に記載の足場用吊り枠。
【請求項６】
前記パイプ挿入部は、横向きに長めであって、その上端又は下端が断面円弧状に形成され、この断面円弧状部分の両端部から下向き又は上向きに板状部が一体に垂直に連設されていることを特徴とする請求項３又は４に記載の足場用吊り枠。
【請求項７】
前記パイプ挿入部は、横向きに長めの断面略半楕円形の筐体状に形成されていることを特徴とする請求項３又は４に記載の足場用吊り枠。
【発明の詳細な説明】
【０００１】
本発明は、高速道路施工時や架橋施工時等にその高速道路や架橋等の下方に足場用として吊設され、複数の足場用板材を敷き詰めるための足場用吊り枠に関する。
【０００２】
【従来の技術】
従来、足場用パイプを接続するには、例えば、図１２に示すようなジョイント１０１を使用していた。このジョイントは上下に分割された断面略円弧状のジョイント単体１０２、１０３の間に前後の足場用パイプ１０４、１０５を差し入れてボルト１０６で締め付けてこれらの足場用パイプ１０４、１０５を接続していた。
ところが、これにおいては、ジョイント１０１の構造が複雑であり、接続作業も困難であるという問題があった。
また、従来の足場用パイプ１０４、１０５は、それぞれ一本ずつの単体で使用されているために、平らな足場用板材を使用して平らな足場を組むのには適していないという問題があった。
【０００３】
また、本出願人が先に出願した足場用吊り枠として、図１３に示すものがある。これは、上下の短管状の丸パイプ２０１、２０２を横方向に複数列設して、これら上下の短管状の丸パイプ２０１、２０２にそれぞれ若干小径の長管状の丸パイプからなる各親パイプ２０３、２０４が連通して挿入されて、これらの親パイプ２０３、２０４の上下位置を保持するように構成することによって足場用吊り枠２０５が造られるようになっている。
更に、足場用吊り枠２０５の下部の長管状の親パイプ２０４の一端に若干大径の連結用丸パイプ２０６を嵌めてビス又はボルト、ナットで接続固定されていて、この連結用丸パイプ２０６に他の足場用吊り枠の下部の長管状の丸パイプを嵌め込んで一直線状になるように接続されるようになっている。
ところが、これにおいては、連結用丸パイプ２０６に他の足場用吊り枠の下部の長管状の丸パイプを嵌め込んで接続するには、この他の足場用吊り枠を水平向きにして嵌め込まなければならないために、その作業が行い難いという問題があった。
【０００４】
【発明が解決しようとする課題】
本発明は、足場用吊り枠の連結作業が行い易く、作業員が安全に足場を施工することができ、下方が川又は海あるいは作業車等の届かない場所でも一定の作業方法で容易に足場を施工することができ、しかも安価に施工することができる足場用吊り枠を提供する事を目的としている。
【０００５】
【課題を解決するための手段】
本発明は、上記課題を解決するために提案されたものであって、請求項１に記載の発明は、高速道路施工時や架橋施工時等にその高速道路や架橋等の下方に足場用として吊設され、複数の足場用板材を敷き詰めるための足場用吊り枠において、上下の親パイプが長手方向適宜箇所で複数箇所縦向きの渡しパイプ又は渡し板材で一体的に連結されていることを特徴としている。
請求項２に記載の発明は、前記上下の親パイプは、円筒形状のパイプからなり、これらの円筒形状の上下の親パイプが、長手方向適宜箇所で複数箇所縦向きの渡し板材で一体に連結されていることを特徴としている。
【０００６】
請求項３に記載の発明は、高速道路施工時や架橋施工時等にその高速道路や架橋等の下方に足場用として吊設され、複数の足場用板材を敷き詰めるための足場用吊り枠において、上下の親パイプが複数の渡しパイプ又は複数の渡し板材で一体的に保持され、上下の親パイプの両端に接続用部材が一体的に取り付けられ、この接続用部材は、上側親パイプ又は下側親パイプのいずれかの一方側端部に一体的に取り付けられたパイプ挿入部と、下側親パイプ又は上側親パイプのいずれかの他端側端部に一体的に取り付けられた短パイプ部と、これらのパイプ挿入部と短パイプ部とを上下向きに一体に保持する保持板部とから構成され、複数の上下の親パイプを長手方向に接続する際に、各パイプ挿入部に各短パイプ部が挿入され取り付け固定されて接続されるようにしたことを特徴としている。
【０００７】
請求項４に記載の発明は、前記上下の親パイプは、円筒形状のパイプからなり、これらの円筒形状の上下の親パイプが、長手方向適宜箇所で複数箇所縦向きの渡し板材で一体に連結されていることを特徴としている。
請求項５に記載の発明は、前記パイプ挿入部は、横向きに長めの断面コ字形の筐体状に形成されていることを特徴としている。
【０００８】
請求項６に記載の発明は、前記パイプ挿入部は、横向きに長めであって、その上端又は下端が断面円弧状に形成され、この断面円弧状部分の両端部から下向き又は上向きに板状部が一体に垂直に連設されていることを特徴としている。
請求項７に記載の発明は、前記パイプ挿入部は、横向きに長めの断面略半楕円形の筐体状に形成されていることを特徴としている。
【０００９】
【発明の実施の形態】
以下、本発明に係る足場用吊り枠の実施の形態について、図を参照しつつ説明する。
図１は本発明の足場用吊り枠の第１実施形態を示し、（ａ）はその正面図、（ｂ）はその側面図である。
この第１実施形態の足場用吊り枠は、図１（ａ）（ｂ）に示すように、円筒形状の水平向きの上下の親パイプ１、２が長手方向複数箇所で、縦向きの渡し板材３で溶着で一体に連結されている。
【００１０】
この足場用吊り枠Ａは、架橋等の下方に二本平行にチェーン等で吊設され、その足場用吊り枠Ａ、Ａの下側の親パイプ２、２間に複数列のパイプ（図示略）が架け渡されて、その上側に足場用板材が複数枚敷き詰められて足場として使用される。
この第１実施形態の足場用吊り枠によれば、現存する資材を使用して製作することができて、資材の調達に不自由することなく安価に入手することができ、安価に製作することができ、しかも施工が行い易く、はらおこし用パイプを足場用板材の上面に架け渡すことがなくて足場用板材の上面をフラットな面にできて作業が行い易く、しかも、架橋等の下方に足場を吊り上げるためのクレーン車等を置く場所の無い場所にも足場を組み付けて設置することができる。
また、親パイプ２、２を上部と下部の２本で構成することによって、強度を増すことができ、チェーンをどの箇所でも掛けることができる。
【００１１】
図２は第２実施形態の足場用吊り枠を示す要部の分解斜視図、図３は第２実施形態の足場用吊り枠の要部の接続状態を示す正面図、図４は第２実施形態の足場用吊り枠の第１例を示す正面図、図５は第２実施形態の足場用吊り枠の第２例を示す正面図、図６は第２実施形態の第２例の足場用吊り枠を連結して両側の足場用吊り枠間に足場用板材を敷き並べた状態を示す平面図、図７は第２実施形態の第２例の足場用吊り枠に横向きにパイプを通して足場用板材を敷いた状態の部分拡大断面図、図８は第２実施形態の足場用吊り枠間に足場用板材を敷いて足場を組み立てた状態の部分斜視図、図９は第２実施形態の足場用吊り枠間に足場用板材を敷き並べて、更に他の足場用吊り枠を接続するときの状態を示す斜視図である。
【００１２】
この第２実施形態の足場用吊り枠は、図２に示すように、円筒形状の上下の親パイプ１、２の両端に接続用部材４が一体に取り付けられている。
この接続用部材４は、上側の親パイプ１又は下側の親パイプ２のいずれかの一方側端部に一体的に取り付けられた一部が外側に突出し横向きに長めの断面コ字形の筐体状のパイプ挿入部５と、下側の親パイプ２又は上側の親パイプ１のいずれかの他端側端部に一体的に取り付けられた短パイプ部６と、これらのパイプ挿入部５と短パイプ部６とを上下向きに溶着で一体に保持する保持板部７とから構成されている。
【００１３】
更に、パイプ挿入部５の外側に突出した部分の両片５ａ、５ａには横向きの長孔５ｂ、５ｂが穿設され、短パイプ部６には前後方向に挿通する通孔６ｂが穿設されている。
そして、複数の上下の親パイプ部１、２を長手方向に接続する際に、各パイプ挿入部５に各短パイプ部６が挿入され、図３に示すように、パイプ挿入部５の長孔５ｂ、５ｂと短パイプ６の通孔６ｂに止め具８が挿入されることによって、取り付け固定されて接続されるようにしている。
この足場用吊り枠としては、図４に示す形状の第１例の足場用吊り枠Ａ１と、図５に示す第２例の足場用吊り枠Ａ２とが有る。
【００１４】
図４に示す第１例の足場用吊り枠Ａ１は、中間部の縦板状の繋ぎ板材９の上下に短管状の丸いパイプ１０、１１を溶着等によって一体に形成し、正面視横向き略Ｈ字形になるようにしたものを横方向に複数列設して、これら上下の短状の丸パイプ１０、１１にそれぞれ若干小径の長管状円筒形状の丸パイプからなる各親パイプ１、２が連通して挿入されて、これらの親パイプ１、２の上下位置を保持するようにし、その両端に前記した接続用部材４、４が互いに上下逆向きに一体的に取り付けられている。
【００１５】
図５に示す第２例の足場用吊り枠Ａ２は、上記した第１実施形態の足場用吊り枠の両端に接続用部材４、４が互いに上下逆向きに一体に取り付けられている。この足場用吊り枠Ａ２は、図６に示すように、両側に一対配置され、その間に複数条のパイプ１２（図７参照）が架け渡され、これらのパイプ１２の上に足場用板材１３が複数枚長手方向に向けて敷き詰められる。尚、この図６では、足場用吊り枠Ａ２、Ａ２と足場用板材１３が平面視で若干斜め向きに接続されていて、現場でのカーブする所等では、このようにして接続されるようになっている。そして、長い距離に渡って足場用板材１３を敷き詰めていくには、図５及び図９に示すように、複数枚の足場用板材１３が敷き詰められた両方の足場用吊り枠Ａ２、Ａ２の対向する端部の接続用部材４、４を接続して取り付け固定していくことによって、長い距離の足場を組むことができる。
【００１６】
更に、図８に示すように、足場用板材１３が敷き詰められた両側の足場用吊り枠Ａ２、Ａ２の外側には、足場用板材１３が１枚程敷かれた状態で、その幅方向両端部に縦向きに長平板からなる縦板材１４が取り付けられるようになっている。
また、足場用吊り枠Ａ２は適宜箇所でチェーン等で高速道路や架橋等の底面に吊設されてその底面の下方に足場として設置されるものである。
したがって、この第２実施形態の足場用吊り枠によれば、足場の作業床に杉いた及び鋼板を敷き詰める際に、連結部分や吊り場所にできる隙間を最小にすることができて作業が行い易く、物品の落下や作業員の落下事故を防ぐことができ、安全に作業を行なうことができる。
【００１７】
また、作業時間を短縮することができ、同じ作業の繰り返しで作業できて、作業員がこの作業にすぐに慣れることができ、安全に施工するとこができ、作業員に対する指導も簡単にできる。
更に、連結方法が簡単なので、フラットな広い足場等の色々な作業床を構成することができる。
しかも、下方が河や海あるいは作業車などの届かない場所でも、一定の作業方法で施工することができ、安全で作業能率を高めることができる。
また、吊り枠の他の資材は、通常使用されているものでよいので、安価に施工することができる。
【００１８】
図１０は第３実施形態の足場用吊り枠の接続時の状態を示す要部の分解斜視図である。
この第３実施形態の足場用吊り枠では、接続用部材４のパイプ挿入部５が、横向きに長めであって、その上端又は下端が断面円弧状に形成され、この断面円弧状部分の両端部から下向き又は上向きに板状部が一体に垂直に連設されている。
この第３実施形態の足場用吊り枠によれば、パイプを挿入して保持するパイプ挿入部５の上端又は下端が断面円弧状に形成されているので、パイプが隙間無くマッチした状態で保持されるので、パイプのがたつきを抑えることができ、頑丈な連結状態を保持することができる。
【００１９】
図１１は第４実施形態の足場用吊り枠の接続時の状態を示す要部の分解斜視図である。
この第４実施形態の足場用吊り枠では、接続用部材４のパイプ挿入部５が、横向きに長めの断面略半楕円形の筐体状に形成されている。
この第４実施形態の足場用吊り枠によれば、パイプ挿入部５が、横向きに長めの断面略半楕円形状に形成されているので、パイプを挿入しやすく、パイプの外周面がマッチした状態で挿入保持されるので、頑丈な連結状態を保持することができる。
【００２０】
【発明の効果】
以上説明したように、請求項１に記載の発明は、高速道路施工時や架橋施工時等にその高速道路や架橋等の下方に足場用として吊設され、複数の足場用板材を敷き詰めるための足場用吊り枠において、上下の親パイプが長手方向適宜箇所で複数箇所縦向きの渡しパイプ又は渡し板材で一体的に連結されているので、以下に述べる効果を奏する。
【００２１】
即ち、現存する資材を使用して製作することができて、資材の調達に不自由することなく安価に入手することができ、安価に製作することができ、しかも施工が行い易く、はらおこし用パイプを足場用板材の上面に架け渡すことがなくて足場用板材の上面をフラットな面にできて作業が行い易く、しかも、架橋等の下方に足場を吊り上げるためのクレーン車等を置く場所の無い場所にも足場を組み付けて設置することができる。
また、親パイプを上部と下部の２本で構成することによって、強度を増すことができ、チェーンをどの箇所でも掛けることができる。
【００２２】
請求項２に記載の発明は、上下の親パイプは、円筒形状のパイプからなり、これらの円筒形状の上下の親パイプが、長手方向適宜箇所で複数箇所縦向きの渡し板材で一体に連結されているので、円筒形状のパイプであるために一般に入手しやすいパイプを使用できて、安価に製造することができる。
【００２３】
請求項３に記載の発明は、高速道路施工時や架橋施工時等にその高速道路や架橋等の下方に足場用として吊設され、複数の足場用板材を敷き詰めるための足場用吊り枠において、上下の親パイプが複数の渡しパイプ又は複数の渡し板材で一体的に保持され、上下の親パイプの両端に接続用部材が一体的に取り付けられ、この接続用部材は、上側親パイプ又は下側親パイプのいずれかの一方側端部に一体的に取り付けられたパイプ挿入部と、下側親パイプ又は上側親パイプのいずれかの他端側端部に一体的に取り付けられた短パイプ部と、これらのパイプ挿入部と短パイプ部とを上下向きに一体に保持する保持板部とから構成され、複数の上下の親パイプを長手方向に接続する際に、各パイプ挿入部に各短パイプ部が挿入され取り付け固定されて接続されるようにしたので、以下に述べる効果を奏する。
【００２４】
即ち、足場の作業床に杉いた及び鋼板を敷き詰める際に、連結部分や吊り場所にできる隙間を最小にすることができて作業が行い易く、物品の落下や作業員の落下事故を防ぐことができ、安全に作業を行なうことができる。
また、作業時間を短縮することができ、同じ作業の繰り返しで作業できて、作業員がこの作業にすぐに慣れることができ、安全に施工するとこができ、作業員に対する指導も簡単にできる。
【００２５】
更に、連結方法が簡単なので、フラットな広い足場等の色々な作業床を構成することができる。
しかも、下方が河や海あるいは作業車などの届かない場所でも、一定の作業方法で施工することができ、安全で作業能率を高めることができる。
また、吊り枠の他の資材は、通常使用されているものでよいので、安価に施工することができる。
【００２６】
請求項４に記載の発明は、上下の親パイプは、円筒形状のパイプからなり、これらの円筒形状の上下の親パイプが、長手方向適宜箇所で複数箇所縦向きの渡し板材で一体に連結されているので、円筒形状のパイプであるために一般に入手しやすいパイプを使用できて、安価に製造することができる。
請求項５に記載の発明は、パイプ挿入部は、横向きに長めの断面コ字形の筐体状に形成されているので、製作が行い易く、パイプを余裕を持たせて挿入して保持することができる。
【００２７】
請求項６に記載の発明は、パイプ挿入部は、横向きに長めであって、その上端又は下端が断面円弧状に形成され、この断面円弧状部分の両端部から下向き又は上向きに板状部が一体に垂直に連設されているので、パイプを挿入して保持するパイプ挿入部５の上端又は下端が断面円弧状に形成されているから、パイプが隙間無くマッチした状態で保持されるので、パイプのがたつきを抑えることができ、頑丈な連結状態を保持することができる。
【００２８】
請求項７に記載の発明は、パイプ挿入部は、横向きに長めの断面略半楕円形の筐体状に形成されているので、パイプ挿入部が、横向きに長めの断面略半楕円形状に形成されているから、パイプを挿入しやすく、パイプの外周面がマッチした状態で挿入保持されるので、頑丈な連結状態を保持することができる。
【図面の簡単な説明】
【図１】第１実施形態を示し、（ａ）はその正面図、（ｂ）はその側面図である。
【図２】第２実施形態の足場用吊り枠を示す要部の分解斜視図である。
【図３】第２実施形態の足場用吊り枠の要部の接続状態を示す正面図である。
【図４】第２実施形態の足場用吊り枠の第１例を示す正面図である。
【図５】第２実施形態の足場用吊り枠の第２例を示す正面図である。
【図６】第２実施形態の第２例の足場用吊り枠を連結して両側の足場用吊り枠間に足場用板材を敷き並べた状態を示す平面図である。
【図７】第２実施形態の第２例の足場用吊り枠に横向きにパイプを通して足場用板材を敷いた状態の部分拡大断面図である。
【図８】第２実施形態の足場用吊り枠間に足場用板材を敷いて足場を組み立てた状態の部分斜視図である。
【図９】第２実施形態の足場用吊り枠間に足場用板材を敷き並べて、更に他の足場用吊り枠を接続するときの状態を示す斜視図である。
【図１０】第３実施形態の足場用吊り枠の接続時の状態を示す要部の分解斜視図である。
【図１１】第４実施形態の足場用吊り枠の接続時の状態を示す要部の分解斜視図である。
【図１２】従来の足場用パイプ枠の接続状態を示す分解斜視図である。
【図１３】従来の接続用パイプを有する足場用吊り枠の正面図である。
【符号の説明】
Ａ１          足場用吊り枠
Ａ２          足場用吊り枠
１            上側の親パイプ
２            下側の親パイプ
３            渡し板材
４            接続用部材
５            パイプ挿入部
５ａ、５ａ    両片
５ｂ、５ｂ    長孔
６            短パイプ部
６ｂ          通孔
７            保持板部
８            止め具
９            縦板状の繋ぎ板材
１０、１１    短管状の丸いパイプ
１２          複数条のパイプ
１３          足場用板材
１４          縦板材
【図１】
2004332210.tif 000003
【図２】
2004332210.tif 000004
【図３】
2004332210.tif 000005
【図４】
2004332210.tif 000006
【図５】
2004332210.tif 000007
【図６】
2004332210.tif 000008
【図７】
2004332210.tif 000009
【図８】
2004332210.tif 000010
【図９】
2004332210.tif 000011
【図１０】
2004332210.tif 000012
【図１１】
2004332210.tif 000013
【図１２】
2004332210.tif 000014
【図１３】
2004332210.tif 000015